(57)【要約】【課題】地域ごとのきめ細やかでかつ地域性を反映した気象情報を、新たな設備投資を必要とすることなく利用者に配信できるようにする。【解決手段】各地域に任意に散在する一般の情報提供者端末ＰＣ１〜ＰＣｎ，ＭＳ１〜ＭＳｍから各地域の気象情報を気象情報サーバＳＶで収集して外部記憶装置ＭＥＭの気象情報データベース２２に記憶する。そして、利用者端末ＵＳ１〜ＵＳｋから地域を指定した気象情報取得要求が到来した場合に、気象情報サーバＳＶが上記気象情報データベース２２を検索して該当地域の気象情報の中から観測時刻が最も新しい気象情報を一つ選択し、この選択された気象情報を要求元の利用者端末ＵＳ１〜ＵＳｋへ送信するようにしたものである。【選択図】      図１０
2005316886.tif 000002
【特許請求の範囲】
【請求項１】
複数の地域に任意に散在し、不特定の情報提供者が使用する複数の情報提供者端末と、
気象情報の取得を希望する利用者が使用する利用者端末と、
前記複数の情報提供者端末及び利用者端末に対し通信ネットワークを介して接続可能な気象情報サーバ装置とを具備し、
前記複数の情報提供者端末の各々は、
前記情報提供者が、自身が存在する地域に関する気象情報を入力するための手段と、
前記入力された気象情報を前記気象情報サーバ装置へ送信する手段と
を備え、
前記利用者端末は、
利用者が、気象情報の配信要求及び配信希望地域の識別情報を入力するための手段と、
前記入力された配信要求及び配信希望地域の識別情報を前記気象情報サーバ装置へ送信する手段と
を備え、
前記気象情報サーバ装置は、
前記情報提供者端末から送信される気象情報を受信する手段と、
前記受信された気象情報を、当該気象情報を送信した情報提供者端末が存在する地域の位置情報に対応付けて第１の記憶手段に記憶する気象情報記憶手段と、
前記利用者端末から送信される配信要求及び配信希望地域の識別情報を受信する手段と、
前記受信された配信要求に応じ、当該配信要求と共に受信された配信希望地域の識別情報に対応する地域の気象情報を前記第１の記憶手段から選択的に読み出す気象情報検索手段と、
前記読み出された気象情報を要求元の利用者端末へ配信する手段と
を備えることを特徴とする気象情報配信システム。
【請求項２】
前記気象情報記憶手段は、前記受信された気象情報を、その観測時刻を表す情報と共に、当該気象情報を送信した情報提供者端末が存在する地域の位置情報に対応付けて第１の記憶手段に記憶し、
前記気象情報検索手段は、前記受信された配信希望地域の識別情報に対応する地域の気象情報が前記第１の記憶手段に複数記憶されている場合に、これら複数の気象情報をその観測時刻に基づいて選択的に読み出すことを特徴とする請求項１記載の気象情報配信システム。
【請求項３】
前記利用者端末は、
前記情報提供者端末との間の通信要求を前記気象情報サーバ装置へ送信する手段を、さらに備え、
前記気象情報サーバ装置は、
前記複数の情報提供者端末の通信アドレスを第２の記憶手段に記憶する手段と、
前記利用者端末から情報提供者端末との間の通信要求が送られた場合に、前記第２の記憶手段から該当する通信アドレスを読み出し、読み出された通信アドレスをもとに前記要求元の利用者端末と通信相手先の情報提供者端末との間の通信を可能にする手段と
を、さらに備えることを特徴とする請求項１記載の気象情報配信システム。
【請求項４】
前記複数の情報提供者端末の各々は、
情報提供者の個人識別情報を前記気象情報サーバ装置へ送信する手段を、さらに備え、
前記利用者端末は、
前記気象情報サーバ装置から配信された気象情報に対する評価ポイントを利用者が入力するための手段と、
前記入力された評価ポイントを前記気象情報サーバ装置へ送信する手段と
を、さらに備え、
前記気象情報サーバ装置は、
前記情報提供者端末から送信される情報提供者の個人識別情報を受信する手段と、
前記受信された情報提供者の個人識別情報を第３の記憶手段に記憶する手段と、
前記利用者端末から送信される評価ポイントを受信する手段と、
前記受信された評価ポイントをもとに情報提供者ごとの評価情報を作成し、作成された評価情報を当該情報提供者の個人識別情報に対応付けて前記第３の記憶手段に記憶する手段と
を、さらに備えることを特徴とする請求項１記載の気象情報配信システム。
【請求項５】
前記利用者端末は、
情報提供者を指定入力するための手段と、
前記配信要求の送信に際し、前記指定入力された情報提供者を表す情報を前記気象情報サーバ装置へ送信する手段と
を、さらに備え、
前記気象情報サーバ装置は、
前記利用者による情報提供者の指定入力のために、前記第３の記憶手段に記憶された評価情報を公開する手段と、
前記利用者端末から前記指定入力された情報提供者を表す情報が送られた場合に、当該情報をもとに該当する情報提供者の気象情報を選択する手段と
を、さらに備えることを特徴とする請求項４記載の気象情報配信システム。
【請求項６】
前記気象情報サーバ装置は、
前記作成された評価情報に基づいて、該当する情報提供者に対する利益還元処理を行う手段を、さらに備えることを特徴とする請求項４記載の気象情報配信システム。
【請求項７】
前記気象情報サーバ装置は、
広告情報を記憶する手段と、
前記利用者端末へ配信する気象情報に、前記記憶された広告情報を付加する手段と
を、さらに備えることを特徴とする請求項１記載の気象情報配信システム。
【請求項８】
複数の地域に任意に散在し不特定の情報提供者が使用する複数の情報提供者端末、及び気象情報の取得を希望する利用者が使用する利用者端末に対し通信ネットワークを介して接続可能な気象情報サーバ装置であって、
前記情報提供者端末から送信される、前記任意の地域に関する気象情報を受信する手段と、
前記受信された気象情報を、当該気象情報を送信した情報提供者端末が存在する地域の位置情報に対応付けて第１の記憶手段に記憶する気象情報記憶手段と、
前記利用者端末から送信される、気象情報の配信要求及び配信希望地域の識別情報を受信する手段と、
前記受信された配信要求に応じ、当該配信要求と共に受信された配信希望地域の識別情報に対応する地域の気象情報を前記第１の記憶手段から選択的に読み出す気象情報検索手段と、
前記読み出された気象情報を要求元の利用者端末へ配信する手段と
を具備することを特徴とする気象情報サーバ装置。
【請求項９】
前記気象情報記憶手段は、前記受信された気象情報を、その観測時刻を表す情報と共に、当該気象情報を送信した情報提供者端末が存在する地域の位置情報に対応付けて第１の記憶手段に記憶し、
前記気象情報検索手段は、前記受信された配信希望地域の識別情報に対応する地域の気象情報が前記第１の記憶手段に複数記憶されている場合に、これら複数の気象情報をその観測時刻に基づいて選択的に読み出すことを特徴とする請求項８記載の気象情報サーバ装置。
【請求項１０】
前記利用者端末が、前記情報提供者端末との間の通信要求を送信する手段を備える場合に、
前記複数の情報提供者端末の通信アドレスを第２の記憶手段に記憶する手段と、
前記利用者端末から情報提供者端末との間の通信要求が送られた場合に、前記第２の記憶手段から該当する通信アドレスを読み出し、読み出された通信アドレスをもとに前記要求元の利用者端末と通信相手先の情報提供者端末との間の通信を可能にする手段と
を、さらに具備することを特徴とする請求項８記載の気象情報サーバ装置。
【請求項１１】
前記利用者端末が、配信された気象情報に対し利用者が入力した評価ポイントを返送する手段を備える場合に、
前記情報提供者端末を使用する情報提供者の個人識別情報を第３の記憶手段に記憶する手段と、
前記利用者端末から返送される評価ポイントを受信する手段と、
前記受信された評価ポイントをもとに情報提供者ごとの評価情報を作成し、作成された評価情報を当該情報提供者の個人識別情報に対応付けて前記第３の記憶手段に記憶する手段と
を、さらに具備することを特徴とする請求項８記載の気象情報サーバ装置。
【請求項１２】
前記利用者端末が、利用者により指定入力された情報提供者を表す情報を、前記配信要求と共に送信する手段とを備える場合に、
前記利用者による情報提供者の指定入力のために、前記第３の記憶手段に記憶された評価情報を公開する手段と、
前記利用者端末から前記情報提供者を表す情報が送られた場合に、当該情報をもとに該当する情報提供者の気象情報を選択する手段と
を、さらに具備することを特徴とする請求項１１記載の気象情報サーバ装置。
【請求項１３】
前記作成された評価情報に基づいて、該当する情報提供者に対する利益還元処理を行う手段を、さらに具備することを特徴とする請求項１１記載の気象情報サーバ装置。
【請求項１４】
広告情報を記憶する手段と、
前記利用者端末へ配信する気象情報に、前記記憶された広告情報を付加する手段と
を、さらに具備することを特徴とする請求項８記載の気象情報サーバ装置。
【請求項１５】
複数の地域に任意に散在し不特定の情報提供者が使用する複数の情報提供者端末、及び気象情報の取得を希望する利用者が使用する利用者端末に対し通信ネットワークを介して接続され、コンピュータを使用して気象情報の配信処理を行うサーバ装置で使用される気象情報配信制御プログラムであって、
前記情報提供者端末から送信される、前記任意の地域に関する気象情報を当該地域を表す位置情報と共に受信する処理と、
前記受信された気象情報及びその地域を表す位置情報を第１の記憶手段に記憶する処理と、
前記利用者端末から送信される、気象情報の配信要求及び配信希望地域の識別情報を受信する処理と、
前記受信された配信要求に応じ、当該配信要求と共に受信された配信希望地域の識別情報に対応する地域の気象情報を前記第１の記憶手段から選択的に読み出す処理と、
前記読み出された気象情報を要求元の利用者端末へ配信する処理と
を、前記コンピュータに実行させる気象情報配信制御プログラム。
【請求項１６】
前記記憶する処理は、前記受信された気象情報を、その観測時刻を表す情報と、当該気象情報を送信した情報提供者端末が存在する地域の位置情報に対応付けて第１の記憶手段に記憶し、
前記読み出す処理は、前記受信された配信希望地域の識別情報に対応する地域の気象情報が前記第１の記憶手段に複数記憶されている場合に、これら複数の気象情報をその観測時刻に基づいて選択的に読み出すことを特徴とする請求項１５記載の気象情報配信制御プログラム。
【請求項１７】
前記利用者端末が、前記情報提供者端末との間の通信要求を送信する手段を備える場合に、
前記複数の情報提供者端末の通信アドレスを第２の記憶手段に記憶する処理と、
前記利用者端末から情報提供者端末との間の通信要求が送られた場合に、前記第２の記憶手段から該当する通信アドレスを読み出し、読み出された通信アドレスをもとに前記要求元の利用者端末と通信相手先の情報提供者端末との間の通信を可能にする処理と
を、さらに前記コンピュータに実行させる請求項１５記載の気象情報配信制御プログラム。
【請求項１８】
前記利用者端末が、配信された気象情報に対し利用者が入力した評価ポイントを返送する手段を備える場合に、
前記情報提供者端末を使用する情報提供者の個人識別情報を第３の記憶手段に記憶する処理と、
前記利用者端末から返送される評価ポイントを受信する処理と、
前記受信された評価ポイントをもとに情報提供者ごとの評価情報を作成し、作成された評価情報を当該情報提供者の個人識別情報に対応付けて前記第３の記憶手段に記憶する処理と
を、さらに前記コンピュータに実行させる請求項１５記載の気象情報配信制御プログラム。
【請求項１９】
前記利用者端末が、利用者により指定入力された情報提供者を表す情報を、前記配信要求と共に送信する手段とを備える場合に、
前記利用者による情報提供者の指定入力のために、前記第３の記憶手段に記憶された評価情報を公開する処理と、
前記利用者端末から前記情報提供者を表す情報が送られた場合に、当該情報をもとに該当する情報提供者の気象情報を選択する処理と
を、さらに前記コンピュータに実行させる請求項１８記載の気象情報配信制御プログラム。
【請求項２０】
前記作成された評価情報に基づいて、該当する情報提供者に対する利益還元処理を行う処理を、さらに前記コンピュータに実行させる請求項１８記載の気象情報配信制御プログラム。
【発明の詳細な説明】
【技術分野】
【０００１】
この発明は、利用者の配信要求に応じ、地域ごとの気象情報を選択的に配信する気象情報配信システムとそのサーバ装置、及びこのサーバ装置で使用される気象情報配信制御プログラムに関する。
【背景技術】
【０００２】
従来、気象情報の配信方法としては、気象庁等が発表する気象情報を放送や通信メディアを通して公開する方法が一般的である。また、複数の地域に分散配置された天気予報装置から測定データを通信回線を介してサーバに収集し、このサーバにおいて上記収集された測定データをもとに気象情報を作成して利用者に配信するシステムも提案されている（例えば、特許文献１を参照。）。
【特許文献１】特開２００２−３４２５０２
【発明の開示】
【発明が解決しようとする課題】
【０００３】
しかしながら、気象庁が発表する気象情報も、また上記特許文献１に記載されるシステムで作成される気象情報も、予め定められた地点に固定的に設置された観測装置の測定データをもとに作成される。このため、地域ごとのきめ細かい気象情報を配信することは一般に困難である。また、地域ごとのきめ細かい気象情報を配信しようとすると、多数の観測装置を分散配置する必要があり、膨大な設備投資が不可欠となる。さらに、観測装置の測定データに依存して気象情報が作成されるため、測定データからは予測できない気象変化の地域性や人の感覚が気象情報に反映されず、必ずしも利用者が知りたい気象情報になっていないという問題がある。
【０００４】
この発明は上記事情に着目してなされたもので、その目的とするところは、地域ごとのきめ細やかでかつ地域性を反映した気象情報を、新たな設備投資を必要とすることなく利用者に配信できるようにした気象情報配信システムとそのサーバ装置、及びこのサーバ装置で使用される気象情報配信制御プログラムを提供することにある。
【課題を解決するための手段】
【０００５】
上記目的を達成するためのこの発明は、複数の地域に任意に散在する複数の情報提供者端末において、当該端末を使用する不特定の情報提供者が入力した在圏地域に関する気象情報を通信ネットワークを介して気象情報サーバ装置で収集し、収集された気象情報を上記在圏地域の位置情報に対応付けて第１の記憶手段に記憶する。そして、この状態で利用者端末から気象情報の配信要求が送られた場合に、当該配信要求と共に送られる配信希望地域の識別情報に対応する地域の気象情報を上記第１の記憶手段から選択的に読み出し、この読み出された気象情報を通信ネットワークを介して要求元の利用者端末へ配信するように構成したものである。
【０００６】
したがってこの発明によれば、複数の地域に任意に散在する不特定多数の一般情報提供者から送られる地域の気象情報が利用者に配信される。このため、各地域に多数の観測装置又は気象予報士を分散配置することなく、すなわち大掛かりな設備費や運用コストを必要とすることなく、地域別のきめ細かい気象情報を配信することが可能となる。さらに、気象変化の地域性や人の感覚が反映された気象情報を配信することが可能となり、これにより利用者は観測装置の測定データからは予測困難な気象に関する付加的な情報も取得することが可能となる。
【０００７】
また、この発明は以下のような具体的構成を備えることも特徴とする。  
第１の構成は、気象情報サーバ装置において、各情報提供者端末から送られた気象情報をその観測時刻を表す情報と共に第１の記憶手段に記憶し、利用者端末から送られた配信希望地域の識別情報に対応する地域の気象情報が上記第１の記憶手段に複数記憶されている場合に、これら複数の気象情報をその観測時刻に基づいて選択的に読み出して配信するものである。
【０００８】
例えば、同一地域に関する複数の気象情報の中から、観測時刻が新しい順に一つまたは予め決められた複数個の情報を選択して配信する。またその際、観測時刻から所定時間以上が経過した気象情報を選択対象から除外することも可能であり、さらには配信対象の気象情報に観測時刻を付加することも可能である。このような構成であれば、利用者は観測時刻の新しい信頼性の高い気象情報を取得することが可能となる。
【０００９】
第２の構成は、気象情報サーバ装置において、各情報提供者端末の通信アドレスを第２の記憶手段に記憶しておき、利用者端末から情報提供者端末との間の通信を要求する情報が送られた場合に、上記第２の記憶手段から該当する通信アドレスを読み出し、この読み出された通信アドレスをもとに上記要求元の利用者端末と通信相手先の情報提供者端末との間の通信を可能にするものである。  
このように構成することで、利用者は気象情報サーバ装置を介して情報提供者との間で通信を行うことが可能となり、これにより例えば配信対象地域についてのより詳細な気象情報を情報提供者自身から直接取得することが可能となる。
【００１０】
第３の構成は、利用者端末に、配信された気象情報に対する評価ポイントの入力手段とその送信手段を設け、利用者により入力された上記評価ポイントを気象情報サーバ装置に送る。気象情報サーバ装置では、上記利用者端末から送られる評価ポイントをもとに情報提供者ごとの評価情報を作成し、この作成された評価情報を当該情報提供者の個人識別情報に対応付けて第３の記憶手段に記憶するようにしたものである。このように構成することで、評価情報をもとに各情報提供者の信頼性判定を行えるほか、種々の付加的なサービス処理を行うことが可能となる。
【００１１】
例えば、気象情報サーバ装置に、上記第３の記憶手段に記憶された評価情報をＷｅｂ等において公開する手段を設け、利用者端末には上記公開された評価情報に基づいて利用者が情報提供者を指定入力して送信する手段を設ける。そして、気象情報サーバ装置において、上記利用者端末から情報提供者の指定情報が送られた場合に、当該指定情報をもとに該当する情報提供者の気象情報を選択して配信する。このように構成すると、気象情報の配信を受けようとする際に利用者は、その地域で評価の高い情報提供者を指定することが可能となる。
【００１２】
また、上記第３の記憶手段に記憶された評価情報に基づいて、該当する情報提供者に対する利益還元処理を行う。例えば、評価ポイントの合計値を算出し、算出された評価ポイントの合計値に見合う商品やサービスを情報提供者にプレゼントしたり、また上記評価ポイントの合計値に応じて情報提供者の通信料金を割り引く。このようなサービス処理を行うことで、情報提供者による気象情報の提供意欲をさらに増進させ、かつ提供される気象情報の信頼性を高めることが可能となる。
【００１３】
第４の構成は、気象情報サーバ装置に広告情報を記憶する手段を設け、利用者端末へ気象情報を配信する際に、当該気象情報に上記記憶された広告情報を付加するようにしたものである。このように構成することで、気象情報を広告媒体として利用することが可能となり、この結果システムの運営費用の一部又は全部を広告料で賄うことが可能となる。
【発明の効果】
【００１４】
要するにこの発明では、複数の地域に任意に散在する複数の情報提供者端末から、不特定の情報提供者が入力した在圏地域に関する気象情報を通信ネットワークを介して気象情報サーバ装置で収集し記憶する。そして、利用者端末からの配信要求に応じて該当する地域の気象情報を選択的に読み出し、この読み出された気象情報を通信ネットワークを介して要求元の利用者端末へ配信するようにしている。  
したがってこの発明によれば、地域ごとのきめ細やかでかつ地域性を反映した気象情報を、新たな設備投資を必要とすることなく利用者に配信することができる、気象情報配信システムとそのサーバ装置、及びこのサーバ装置で使用される気象情報配信制御プログラムを提供することができる。
【発明を実施するための最良の形態】
【００１５】
（第１の実施形態）  
図１は、この発明に係わる気象情報配信システムの第１の実施形態を示す概略構成図である。この実施形態の通信システムは、気象情報サーバＳＶと、この気象情報サーバＳＶに付属して設けられる外部記憶装置ＭＥＭとを備える。そして、各地域に任意に散在する不特定の一般情報提供者が使用する複数の情報提供者端末と、気象情報の配信を希望する利用者が使用する複数の利用者端末ＵＳ１〜ＵＳｋを、通信ネットワークＮＷを介して上記気象情報サーバＳＶに接続可能としている。
【００１６】
情報提供者端末としては、例えば家庭やオフィス等に固定的に設置されたパーソナル・コンピュータ等の固定情報端末ＰＣ１〜ＰＣｎや、情報提供者が携帯する携帯電話機やＰＤＡ（Personal Digital Assistants）等の移動通信端末ＭＳ１〜ＭＳｍが用いられ、いずれもＩＰ網へのアクセス機能を備える。利用者端末ＵＳ１〜ＵＳｋについても、上記情報提供者端末と同様、ＩＰ網へのアクセス機能を備えた固定端末または移動通信端末が用いられる。
【００１７】
通信ネットワークＮＷは、ＩＰ（Internet Protocol）網と、このＩＰ網にアクセスするための複数のアクセス網とから構成される。アクセス網としては、例えばＤＳＬ（Digital Subscriber Line）や光伝送路を使用する固定網ＮＷ１、無線ＬＡＮ網ＮＷ２、ＰＨＳ（Personal Handyphone System）（登録商標）網ＮＷ３、ＰＤＣ（Personal Digital Cellular）網やＩＭＴ２０００（International Mobile Telecommunication 2000）網等の移動通信網が想定される。
【００１８】
ところで、気象情報サーバＳＶは次のように構成される。図２はその機能構成を示すブロック図である。  
すなわち、気象情報サーバＳＶは中央処理ユニット（ＣＰＵ：Central Processing Unit）１１を備える。このＣＰＵ１１には、バス１２を介してプログラムメモリ１３及びデータメモリ１４が接続され、さらに通信インタフェース１５、外部記憶インタフェース１６及び入出力インタフェース１６がそれぞれ接続されている。
【００１９】
通信インタフェース（通信Ｉ／Ｆ）１５は、ＣＰＵ１１の制御の下、上記情報提供者端末としての固定情報端末ＰＣ１〜ＰＣｎ及び移動通信端末ＭＳ１〜ＭＳｍ、及び利用者端末ＵＳ１〜ＵＳｋとの間で、通信ネットワークＮＷにより規定される通信プロトコルに従い通信を行う。通信プロトコルとしては、例えばＴＣＰ／ＩＰ（Transmission Control Protocol/Internet Protocol）が使用される。
【００２０】
外部記憶インタフェース１６は、ＣＰＵ１１の制御の下、外部記憶装置ＭＥＭへの気象情報等の書き込み及び読み出しを行う。外部記憶装置ＭＥＭは、記憶媒体として例えばハードディスクを使用したもので、図３に示すように個人情報データベース２１及び気象情報データベース２２を備えている。個人情報データベース２１には、情報提供者の個人情報及び評価ポイントの累計値等が記憶される。気象情報データベース２２には、情報提供者から提供された気象情報が、情報提供者のＩＤ、端末属性、気象情報入力時刻及び平均評価ポイントと共に、地域を表す情報に対応付けて記憶される。
【００２１】
入出力インタフェース（入力Ｉ／Ｆ）１７には、キーボード等の入力部１８と、液晶表示器（ＬＣＤ）からなる表示部１９が接続される。入出力Ｉ／Ｆ１７は、上記入力部１８の操作を検出してその操作情報を入力データとして取り込む。また、ＣＰＵ１１の指示に従いデータメモリから読み出された表示データを表示部１９に表示する。
【００２２】
プログラムメモリ１３には、情報提供者登録制御プログラム１３ａと、気象情報受信記憶制御プログラム１３ｂと、気象情報検索送信制御プログラム１３ｃと、評価ポイント管理プログラム１３ｄと、利益還元制御プログラム１３ｅが格納されている。  
情報提供者登録制御プログラム１３ａは、気象情報の提供を希望する情報提供者の端末ＰＣ１〜ＰＣｎ，ＭＳ１〜ＭＳｍに対し個人情報入力フォームを送信し、この入力フォームに従って情報提供者が入力した個人情報を情報提供者端末ＰＣ１〜ＰＣｎ，ＭＳ１〜ＭＳｍから受信する。そして、受信された個人情報を外部記憶装置ＭＥＭの個人情報データベース２１に格納する。
【００２３】
個人情報には、情報提供者の識別情報（情報提供者ＩＤ）と、情報提供者端末ＰＣ１〜ＰＣｎ，ＭＳ１〜ＭＳｍが設置されている地域を表す情報が含まれる。なお、情報提供者端末が移動通信端末ＭＳ１〜ＭＳｍの場合には、当該端末が主に存在する地域を表す情報が用いられる。また、地域を表す情報としては、情報提供者が入力した市町村名等の地域名をそのまま使用してもよいが、ＧＰＳ（Global Positioning System）等を利用して情報提供者端末ＰＣ１〜ＰＣｎ，ＭＳ１〜ＭＳｍの位置情報（緯度経度情報）を取得し、この取得された位置情報と地図データとをもとに地域名を特定するようにしてもよい。
【００２４】
気象情報受信記憶制御プログラム１３ｂは、個人情報が登録された情報提供者端末ＰＣ１〜ＰＣｎ，ＭＳ１〜ＭＳｍから気象情報が送られた場合に、この気象情報を通信インタフェース１５により受信し、受信された気象情報を情報提供者ＩＤ、地域を表す情報、及び観測時刻（気象情報入力時刻）と共に、外部記憶装置ＭＥＭの気象情報データベース２２に格納する。
【００２５】
気象情報検索送信制御プログラム１３ｃは、利用者端末ＵＳ１〜ＵＳｋから気象情報の取得要求が取得希望地域を表す情報と共に到来した場合に、外部記憶装置ＭＥＭの気象情報データベース２２をアクセスし、上記取得希望地域に該当する気象情報のうち観測時刻が最も新しい情報を読み出す。そして、この読み出された気象情報を地域名、観測時刻及び情報提供者ＩＤと共に通信インタフェース１５から要求元の利用者端末ＵＳ１〜ＵＳｋへ送信する。
【００２６】
評価ポイント管理プログラム１３ｄは、個人情報データベース２１に情報提供者ＩＤに対応付けて評価ポイントの累計値及び平均値を記憶する。そして、気象情報配信先の利用者端末ＵＳ１〜ＵＳｋから、配信済みの気象情報に対する評価ポイントが返送された場合に、この返送された評価ポイントを上記個人情報データベース２１に記憶された該当する情報提供者の評価ポイントの累計値に加算する。またそれと共に、上記返送された評価ポイントを反映させた評価ポイントの平均値を算出し、この算出された平均値を気象情報データベース２２に該当する情報提供者ＩＤに対応付けて記憶する。
【００２７】
利益還元制御プログラム１３ｅは、各情報提供者の評価ポイントの累計を定期的（例えば１ヶ月ごと）に上記個人情報データベース２１から読み出し、この評価ポイントの累計値に応じた利益還元処理を実行する。利益還元処理の形態には、情報提供者の通信料金を評価ポイントの累計値に応じて割り引く処理と、情報提供者に対し評価ポイントの累計に応じた商品又はサービスを提供するプレゼント交換処理とがある。  
なお、データメモリ１４は、記憶媒体として例えばＲＡＭを使用したもので、入力データや表示データ、送受信データを一時的に記憶するために使用される。
【００２８】
次に、以上のように構成された気象情報配信システムの動作を、気象情報サーバＳＶの制御手順に従い説明する。図４乃至図９はその制御手順及び制御内容を示すフローチャート、図１０はシステムの動作手順を示すシーケンス図である。  
待機状態において気象情報サーバＳＶは、図４に示すメインルーチンにおいて、ステップ４ａ、ステップ４ｂ、ステップ４ｃ、ステップ４ｄ及びステップ４ｅでそれぞれ、個人情報登録要求の到来、気象情報の提供要求の到来、気象情報配信要求の到来、評価ポイントの到来、及びサービス処理タイミングの到来を監視している。
【００２９】
（１）情報提供者登録制御（個人情報登録制御）  
上記待機状態において、気象情報の提供を希望する情報提供者端末（例えばＰＣ１）から個人情報の登録要求が到来すると、気象情報サーバＳＶは次のように個人情報登録制御を実行する。図５はその制御手順と制御内容を示すフローチャートである。
【００３０】
すなわち、上記登録要求の到来に応じ、気象情報サーバＳＶは先ず要求元の情報提供者端末ＰＣ１に対し個人情報入力フォームを送信する。情報提供者端末ＰＣ１において情報提供者は、上記入力フォームに従い個人情報、端末属性を表す情報及び自端末が存在する地域名を表す情報を入力する。入力されたこれらの情報は、情報提供者端末ＰＣ１から気象情報サーバＳＶへ図１０のＳ１−３に示すように送信される。
【００３１】
気象情報サーバＳＶは、先ずステップ５ａにおいて新規登録であるか登録変更であるかを判定し、新規登録であればステップ５ｂに移行する。そして、このステップ５ｂで上記個人情報、端末属性を表す情報及び地域名を表す情報を受信し、受信されたこれらの情報をステップ５ｄにより外部記憶インタフェース１６を介して外部記憶装置ＭＥＭへ転送し、個人情報データベース２１に記憶させる。
【００３２】
これに対し登録変更の場合には、ステップ５ｃに移行して変更情報を受信し、この受信された変更情報に従いステップ５ｄにおいて個人情報データベース２１の該当する情報を変更する。この登録変更処理手順を備えることで、例えば情報提供者端末が移動通信端末ＭＳ１〜ＭＳｍの場合のように在圏地域が変化する場合にも、個人情報データベース２１の登録情報を容易に修正できる。  
なお、他の情報提供者端末ＰＣ２〜ＰＣｎ，ＭＳ１〜ＭＳｍからの個人情報登録処理についても、同様に行われる。
【００３３】
（２）気象情報受信記憶制御  
いま例えば情報提供者端末ＰＣｎにおいて、情報提供者が自身が存在する地域に関する気象情報をキー操作等により入力し、この入力された気象情報を送信したとする。気象情報は、通信ネットワークＮＷを介して図１０のＳ２−２に示すように気象情報サーバＳＶへ伝送される。
【００３４】
気象情報サーバＳＶは、情報提供端末ＰＣｎから気象情報の提供要求を検出すると、次のように気象情報受信記憶制御を実行する。図６はその制御手順及び制御内容を示すフローチャートである。すなわち、先ずステップ６ａで要求元の情報提供者が登録済みであるか否かを、個人情報データベース２１に記憶されている個人情報をもとに判定する。この結果、もし未登録であれば先に述べた個人情報登録制御に移行する。
【００３５】
これに対し登録済みであれば、ステップ６ｂに移行して通信インタフェース１５により上記気象情報を受信し、受信された気象情報をステップ６ｃにおいて外部記憶装置ＭＥＭの気象情報データベース２２に記憶する。このとき、上記気象情報の受信時刻が観測時刻となり、かつ個人情報データベース２１から該当する情報提供者の個人情報ＩＤ、端末属性、地域名及び評価ポイントが読み出され、これらの情報が上記気象情報に対応付けられて気象情報データベース２２に記憶される。
【００３６】
以後同様に、情報提供者端末ＰＣ１〜ＰＣｎ，ＭＳ１〜ＭＳｍから新たな気象情報が送られるごとに、この気象情報は情報提供者の個人情報ＩＤ、端末属性、地域名、評価ポイント及び観測時刻と共に、外部記憶装置ＭＥＭの気象情報データベース２２に記憶される。図１１にその記憶データの一例を示す。
【００３７】
なお、情報提供者端末が移動通信端末ＭＳ１〜ＭＳｍの場合でかつＧＰＳ受信機能を備えている場合には、移動通信端末ＭＳ１〜ＭＳｍから気象情報と共に自端末の位置情報を送信する。そして、気象情報サーバＳＶにおいて、上記受信された位置情報と予め記憶されている地図データとをもとに提供元の移動通信端末が存在する地域名を特定し、この地域名を上記受信された気象情報と共に気象情報データベース２２に記憶させることも可能である。この場合、個人情報データベース２１内に記憶されている該当する情報提供者の存在地域を表す情報も同時に更新するとよい。
【００３８】
（３）気象情報検索送信制御  
いま例えば利用者端末ＵＳ１において、その利用者が所望の地域の気象情報を取得するべく気象情報取得要求を送信したとする。この気象情報取得要求は、通信ネットワークＮＷを介して図１０のＳ−３に示すように気象情報サーバＳＶに伝送される。
【００３９】
気象情報サーバＳＶは、上記気象情報取得要求が到来すると、以後次のように気象情報検索送信制御を実行する。図７は、その制御手順及び制御内容を示すフローチャートである。  
すなわち、気象情報サーバＳＶは先ずステップ７ａで利用者が取得を希望する地域名を表す地域ＩＤを受信し、受信された地域ＩＤをもとにステップ７ｂにより気象情報データベース２２を図１０のＳ−４のように検索する。そして、この検索結果に基づいて、該当する地域の気象情報が複数あるか否かをステップ７ｃで判定する。
【００４０】
この判定の結果、該当地域の気象情報が複数あった場合には、ステップ７ｄに移行してここで上記複数の気象情報をその観測時刻と共に図１０のＳ−５のように読み出し、これらの中から観測時刻が最も新しい気象情報を一つ選択する。そして、ステップ７ｆにおいて、上記選択された気象情報を、その地域を表す情報及び観測時刻を表す情報と共に、要求元の利用者端末ＵＳ１に向け通信インタフェース１５から図１０のＳ−６に示すように送信する。
【００４１】
例えば、いま気象情報データベース２２に図１１に示す気象情報が記憶されており、この状態で利用者が配信希望地域として「Ａ市」を指定したとする。この場合気象情報サーバＳＶは、「Ａ市」に係わる３つの気象情報Ｄ−Ａ１，Ｄ−Ａ２，Ｄ−Ａ３の中から、観測時刻が最も新しいＤ−Ａ３を選択する。そして、この選択された気象情報Ｄ−Ａ１を要求元の利用者端末に向け送信する。
【００４２】
また、上記気象情報の送信に際し、気象情報サーバＳＶは送信ごとに番号が更新されるユニークな提供番号を発番する。そして、この発番された提供番号を上記気象情報に付して利用者端末へ送信する。さらに気象情報サーバＳＶは、ステップ７ｇにおいて、上記発番されたユニークな提供番号を上記選択された気象情報の情報提供者ＩＤに対応付けて、図１０のＳ−７に示すように個人情報データベース２１に格納する。上記提供番号は、評価ポイントの加算処理のために用いる。
【００４３】
これに対し、上記判定の結果、該当する地域の気象情報が一つだけだった場合には、気象情報サーバＳＶはステップ７ｅにより当該気象情報を読み出す。そして、この読み出された気象情報をそのまま、その地域を表す情報、観測時刻を表す情報及び上記ユニークな提供番号と共に、要求元の利用者端末ＵＳ１へ送信する。
【００４４】
以後同様に、利用者端末ＵＳ１〜ＵＳｋから気象情報の取得要求が到来するごとに、希望地域の気象情報のうち観測時刻が最も新しい情報が一つ選択され、この選択された気象情報がその地域を表す情報、観測時刻を表す情報及びユニークな提供番号と共に、要求元の利用者端末ＵＳ１〜ＵＳｋへ配信される。
【００４５】
（４）評価ポイントの管理  
上記気象情報が配信されると利用者端末ＵＳ１〜ＵＳｋでは、配信された気象情報が表示器に表示される。利用者は、この表示された気象情報について的中率または有効性を判断し、評価ポイントを入力する。この評価ポイントを表す情報は、上記気象情報に付加されている提供番号と共に利用者端末ＵＳ１〜ＵＳｋから気象情報サーバＳＶへ返送される。
【００４６】
気象情報サーバＳＶは、利用者端末ＵＳ１〜ＵＳｋから評価ポイントの返信要求が到来すると、次のように評価ポイントの管理処理を実行する。図８はその制御手順及び制御内容を示すフローチャートである。  
すなわち、気象情報サーバＳＶはステップ８ａで上記評価ポイントを表す情報及び提供番号を受信すると、ステップ８ｂにおいて上記受信された提供番号をもとに個人情報データベース２１を検索し、該当する情報提供者の有無をステップ８ｃで判定する。この判定の結果、該当する情報提供者が存在すれば、ステップ８ｄにおいて当該情報提供者に対応付けて記憶されている評価ポイントの累計値に上記新たに受信された評価ポイントを加算する。そして、これにより算出された新たに累計値を、個人情報データベース２１に記憶する。なお、該当する情報提供者が見つからない場合には、評価ポイントの計算を行わずにそのまま処理を終了する。
【００４７】
また気象情報サーバＳＶは、上記新たな累計値をもとに評価ポイントの平均値を算出し直す。そして、気象情報データベース２２中の該当する情報提供者の平均評価ポイントを、上記算出し直された平均値に書き換える。この平均評価ポイントは、例えば気象情報に添付して利用者端末ＵＳ１〜ＵＳｋに送信することにより、利用者が配信された気象情報の信頼性を判断する指標として利用できる。
【００４８】
（５）利益還元制御  
気象情報サーバＳＶは、ＣＰＵ１１においてサービス処理のタイミングを監視している。そして、例えば毎月１日になると次のように利益還元処理を実行する。図９はその制御手順と制御内容を示すフローチャートである。  
すなわち、毎月１日になると気象情報サーバＳＶは、ステップ９ａにより個人情報データベース２１から情報提供者ごとに評価ポイントの累計値を読み出す。そしてステップ９ｂにより、情報提供者が事前に指定した利益還元処理の形態、つまりサービス種別を判定する。サービス種別には、通信料金の割引きと、プレゼントの交換とがある。
【００４９】
情報提供者がプレゼント交換を指定している場合には、気象情報サーバＳＶはステップ９ｃに移行して、該当する情報提供者端末へプレゼント交換が可能である旨の通知情報を例えば電子メールにより送信する。これに対し情報提供者が、気象情報サーバＳＶの所定のＷｅｂページに対しアクセスすると、気象情報サーバＳＶから情報提供者端末へ評価ポイントの累計値と交換可能な商品又はサービスの一覧が送られる。そして、情報提供者がプレゼント交換のための操作を行うと、ステップ９ｄからステップ９ｅに移行してプレゼント交換の受付処理が行われる。
【００５０】
一方、情報提供者が通信料金の割引処理を指定している場合には、気象情報サーバＳＶはステップ９ｆに移行して、該当する情報提供者の課金データから上記評価ポイントの累計値に相当する料金分を割り引くための処理を実行する。この割引処理後の課金データは請求書を作成する際に反映される。
【００５１】
以上述べたように第１の実施形態では、各地域に任意に散在する一般の情報提供者端末ＰＣ１〜ＰＣｎ，ＭＳ１〜ＭＳｍから各地域の気象情報を気象情報サーバＳＶで収集して外部記憶装置ＭＥＭの気象情報データベース２２に記憶する。そして、利用者端末ＵＳ１〜ＵＳｋから地域を指定した気象情報取得要求が到来した場合に、上記気象情報データベース２２を検索して該当地域の気象情報の中から観測時刻が最も新しい気象情報を一つ選択し、この選択された気象情報を要求元の利用者端末ＵＳ１〜ＵＳｋへ送信するようにしている。
【００５２】
したがって、各地域に多数の観測装置や気象予報士を分散配置することなく、地域別のきめ細かい気象情報を収集し利用者に配信することが可能となる。このため、大掛かりな設備費や運用コストを不要にすることができる。また気象情報には、観測データから推測されるものに限らず、一般の情報提供者から提供される気象変化の地域性や人の感覚が反映された情報を含めることができる。このため、利用者は気象庁等が発表する気象情報に比べ、より地域性に富んだ付加価値の高い情報を取得することが可能となる。
【００５３】
また第１の実施形態では、情報提供者を事前登録制とし、かつ提供された気象情報に対し利用者が評価ポイントを入力してその累計値を気象情報サーバＳＶで算出する。そして、上記評価ポイントの累計値に基づいて、情報提供者に対し通信料金の割引処理や商品又はサービスとの交換処理を可能にしている。このため、気象情報の信頼性を高く保持できると共に、情報提供者の情報提供意欲を増進させることができる。  
さらに、情報提供者ごとに評価ポイントの平均値を算出し、この算出された平均評価ポイントを気象情報に添付して配信することにより、この平均評価ポイントをもとに利用者は配信された気象情報の信頼性を判断することが可能となる。
【００５４】
（第２の実施形態）  
この発明の第２の実施形態は、気象情報検索送信制御において、利用者から指定された地域に該当する気象情報をもれなく読み出し、この読み出された複数の気象情報を日付順に並べて要求元の利用者端末へ配信するようにしたものである。  
図１２は、この発明の第２の実施形態に係わる気象情報サーバＳＶによる気象情報検索送信制御手順とその内容を示すフローチャートである。なお、システム及び気象情報サーバＳＶの構成については第１の実施形態と同一なので、図１及び図２を用いて説明を行う。
【００５５】
気象情報サーバＳＶは、利用者端末ＵＳ１〜ＵＳｋから気象情報の取得要求が到来すると、この取得要求と共に到来する希望地域を表す情報（地域ＩＤ）をステップ１２ａで受信し、受信された地域ＩＤをもとにステップ１２ｂにより気象情報データベース２２を検索する。そして、ステップ１２ｃにおいて上記希望地域に該当する気象情報を観測時刻順にもれなく読み出し、この読み出された気象情報をステップ１２ｄにより要求元の利用者端末ＵＳ１〜ＵＳｋへ送信する。このとき、気象情報にはその地域を表す情報及び観測時刻を表す情報が付加される。なお、情報提供者ＩＤを付加することも可能である。
【００５６】
例えば、いま気象情報データベース２２に図１１に示した情報が記憶されており、この状態で利用者端末ＵＳ１〜ＵＳｋから希望地域として「Ｂ町」が指定された場合には、気象情報Ｄ−Ｂ１，Ｄ−Ｂ２が読み出されて要求元の利用者端末ＵＳ１〜ＵＳｋに配信される。また同様に、利用者端末ＵＳ１〜ＵＳｋから希望地域として「Ｃ村」が指定された場合には、気象情報Ｄ−Ｃ１，Ｄ−Ｃ２，Ｄ−Ｃ３が読み出されて要求元の利用者端末ＵＳ１〜ＵＳｋに配信される。
【００５７】
また、上記気象情報の送信に際し、気象情報サーバＳＶは送信ごとに番号が更新されるユニークな提供番号を発番する。そして、この発番された提供番号を上記気象情報に付して利用者端末ＵＳ１〜ＵＳｋへ送信する。さらに気象情報サーバＳＶは、ステップ１２ｅにおいて、上記発番されたユニークな提供番号を上記選択された気象情報の情報提供者ＩＤに対応付けて個人情報データベース２１に格納する。上記提供番号は、評価ポイントの加算処理のために用いられる。
【００５８】
以上のように第２の実施形態では、利用者からの気象情報取得要求に対し、希望地域に該当する気象情報をもれなく読み出して配信するようにしている。このため、利用者は配信された複数の気象情報を任意に組み合わせることで、当該地域の気象情報を自身で予測することが可能となる。  
なお、この実施形態においても、前記第１の実施形態と同様に評価ポイントの管理及び評価ポイントに応じた利益還元処理を実行することが可能である。
【００５９】
（第３の実施形態）  
この発明の第３の実施形態は、利用者端末が気象情報の取得要求を送信する際に情報提供者ＩＤを指定し、気象情報サーバＳＶにおいて気象情報データベース２２から上記指定された情報提供者の気象情報を選択的に読み出して配信するようにしたものである。  
図１３は、この発明の第３の実施形態に係わる気象情報サーバＳＶによる気象情報検索送信制御手順とその内容を示すフローチャートである。なお、システム及び気象情報サーバＳＶの構成については第１の実施形態と同一なので、ここでも図１及び図２を用いて説明を行う。
【００６０】
気象情報サーバＳＶは、例えばＷｅｂページにおいて、個人情報データベース２１に記憶されている各情報提供者の平均評価ポイントを公開する。利用者は、上記Ｗｅｂページに公開された平均評価ポイントを閲覧することで、各情報提供者の信頼性を判断することが可能となる。そして、気象情報の配信を要求する際に、利用者端末ＵＳ１〜ＵＳｋにおいて希望する情報提供者ＩＤを入力し、この入力された情報提供者ＩＤを地域ＩＤと共に気象情報取得要求に付加して気象情報サーバＳＶへ送信する。
【００６１】
気象情報サーバＳＶは、利用者端末ＵＳ１〜ＵＳｋから気象情報の取得要求が到来すると、この取得要求に付加された地域ＩＤ及び情報提供者ＩＤをステップ１３ａで受信する。そして、ステップ１３ｂにより情報提供者の指定の有無を判定する。この判定の結果、特に情報提供者が指定されていなければ、気象情報サーバＳＶは図７に示したステップ７ｂに移行する。
【００６２】
これに対し上記気象情報取得要求に情報提供者ＩＤが付加されていたとする。この場合気象情報サーバＳＶは、情報提供者が指定されていると判断し、ステップ１３ｃに移行してここで上記受信された地域ＩＤ及び情報提供者ＩＤをもとに気象情報データベース２２を検索する。そして、該当する気象情報の有無をステップ１３ｄで判定する。この判定の結果、該当する気象情報が見つかると、ステップ１３ｅにより気象情報データベース２２から当該気象情報を読み出し、この読み出された気象情報をステップ１３ｆにより要求元の利用者端末ＵＳ１〜ＵＳｋへ送信する。この場合も、前記第１及び第２の実施形態と同様に、気象情報にはその地域を表す情報及び観測時刻を表す情報が付加される。なお、情報提供者ＩＤを付加することも勿論可能である。
【００６３】
また、上記気象情報の送信に際し、気象情報サーバＳＶは送信ごとに番号が更新されるユニークな提供番号を発番する。そして、この発番された提供番号を上記気象情報に付して利用者端末ＵＳ１〜ＵＳｋへ送信する。さらに気象情報サーバＳＶは、ステップ１３ｇにおいて、上記発番されたユニークな提供番号を上記選択された気象情報の情報提供者ＩＤに対応付けて個人情報データベース２１に格納する。上記提供番号は、評価ポイントの加算処理のために用いられる。
【００６４】
一方、上記ステップ１３ｄによる該当情報の有無の判定の結果、該当する気象情報が見つからなかったとする。この場合気象情報サーバＳＶは、ステップ１３ｈに移行してここで「該当無しメッセージ」を生成し、この生成されたメッセージを要求元の利用者端末ＵＳ１〜ＵＳｋへ送信する。
【００６５】
以上述べたように第３の実施形態では、気象情報サーバＳＶにおいて各情報提供者の平均評価ポイントをＷｅｂページで公開し、利用者が所望の情報提供者を利用者端末ＵＳ１〜ＵＳｋにおいて指定入力して、気象情報サーバＳＶへ送信するようにしている。そして、気象情報サーバＳＶにおいて、気象情報データベース２２から上記指定された情報提供者の気象情報を選択的に読み出して配信するようにしている。したがって、利用者は上記公開されたＷｅｂページを閲覧することにより、評価の高い情報提供者を任意に指定することが可能となり、これにより評価の高い情報提供者が提供した気象情報を取得することが可能となる。
【００６６】
（その他の実施形態）  
気象情報サーバＳＶにおいて、各情報提供者端末ＰＣ１〜ＰＣｎ，ＭＳ１〜ＭＳｍの通信アドレスを個人情報データベース２１に記憶しておく。そして、利用者端末ＵＳ１〜ＵＳｋから情報提供者端末ＰＣ１〜ＰＣｎ，ＭＳ１〜ＭＳｍとの間の通信を要求する情報が送られた場合に、上記個人情報データベース２１から該当する通信アドレスを読み出し、この読み出された通信アドレスをもとに上記要求元の利用者端末ＵＳ１〜ＵＳｋと通信相手先の情報提供者端末ＰＣ１〜ＰＣｎ，ＭＳ１〜ＭＳｍとの間に通信リンクを形成するようにしてもよい。
【００６７】
このように構成すると、利用者は気象情報サーバＳＶを介して情報提供者との間で直接通信を行うことが可能となり、これにより例えば配信対象地域についてのより詳細な気象情報をはじめ、耳より情報等の付加情報を情報提供者自身から直接取得することが可能となる。
【００６８】
また前記第１の実施形態では、情報提供者端末ＰＣ１〜ＰＣｎ，ＭＳ１〜ＭＳｍが存在する地域を表す情報を個人情報登録時に予め登録するようにした。しかし、それに限らず、気象情報を提供する際にその都度最新の地域ＩＤを情報提供者端末ＰＣ１〜ＰＣｎ，ＭＳ１〜ＭＳｍから気象情報サーバＳＶへ送信するようにしてもよい。この場合、地域ＩＤは利用者がキー操作により自身で入力してもよく、またＧＰＳ受信機能や移動通信システムが備える位置検出機能を利用して端末の位置情報を検出するようにしてもよい。
【００６９】
さらに、観測時刻の取得手段としては、観測時刻を気象情報に付加して情報提供者端末ＰＣ１〜ＰＣｎ，ＭＳ１〜ＭＳｍから気象情報サーバＳＶへ伝送して気象情報データベース２２にそのまま記憶させるものと、気象情報サーバＳＶにおいて気象情報の受信時刻を観測時刻として生成し、この生成された観測時刻を上記受信された気象情報に付加して気象情報データベース２２に記憶するものが考えられる。
【００７０】
さらに、外部記憶装置ＭＥＭに広告データベースを設け、気象情報サーバＳＶが気象情報を配信する際に上記広告データベースから広告情報を選択的に読み出し、読み出された広告情報を上記気象情報に付加して利用者端末へ配信するようにしてもよい。このようにすると、気象情報を広告媒体として利用することが可能となり、この結果システムの運営費用の一部又は全部を広告料で賄うことが可能となる。
【００７１】
その他、システム及び気象情報サーバ装置の構成、情報提供端末及び利用者端末の種類、気象情報サーバ装置による情報提供者登録制御、気象情報受信記憶制御、気象情報検索送信制御、評価ポイント管理制御及び利益還元制御の手順と内容等についても、この発明の要旨を逸脱しない範囲で種々変形して実施できる。
【００７２】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００７３】
【図１】この発明に係わる気象情報配信システムの第１の実施形態を示す概略構成図。
【図２】図１に示したシステムで使用される気象情報サーバの機能構成を示すブロック図。
【図３】図１に示したシステムで使用される気象情報サーバに付属する外部記憶装置の構成を示すブロック図。
【図４】図２に示した気象情報サーバによる主制御の手順と内容を示すフローチャート。
【図５】図２に示した気象情報サーバによる情報提供者登録制御の手順と内容を示すフローチャート。
【図６】図２に示した気象情報サーバによる気象情報受信記憶制御の手順と内容を示すフローチャート。
【図７】図２に示した気象情報サーバによる気象情報検索送信制御の手順と内容を示すフローチャート。
【図８】図２に示した気象情報サーバによる評価ポイント管理の手順と内容を示すフローチャート。
【図９】図２に示した気象情報サーバによる利益還元制御の手順と内容を示すフローチャート。
【図１０】図１に示したシステムの動作手順を示すシーケンス図。
【図１１】図３に示す外部記憶装置の気象情報データベースに記憶される情報の一例を示す図。
【図１２】この発明の第２の実施形態に係わる気象情報サーバによる気象情報検索送信制御の手順と内容を示すフローチャート。
【図１３】この発明の第３の実施形態に係わる気象情報サーバによる気象情報検索送信制御の手順と内容を示すフローチャート。
【符号の説明】
【００７４】
ＳＶ…気象情報サーバ、ＭＥＭ…外部記憶装置、ＰＣ１〜ＰＣｎ…情報提供者が使用する固定端末、ＭＳ１〜ＭＳｍ…情報提供者が使用する移動端末、ＵＳ１〜ＵＳｋ…利用者端末、ＮＷ…通信ネットワーク、１１…ＣＰＵ、１２…バス、１３…プログラムメモリ、１３ａ…情報提供者制御プログラム、１３ｂ…気象情報受信記憶制御プログラム、１３ｃ…気象情報検索送信制御プログラム、１３ｄ…評価ポイント管理プログラム、１３ｅ…利益還元制御プログラム、１４…データメモリ、１５…通信インタフェース、１６…外部記憶インタフェース、１７…入出力インタフェース、１８…入力部、１９…表示部、２１…個人情報データベース、２２…気象情報データベース。
【図１】
2005316886.tif 000003
【図２】
2005316886.tif 000004
【図３】
2005316886.tif 000005
【図４】
2005316886.tif 000006
【図５】
2005316886.tif 000007
【図６】
2005316886.tif 000008
【図７】
2005316886.tif 000009
【図８】
2005316886.tif 000010
【図９】
2005316886.tif 000011
【図１０】
2005316886.tif 000012
【図１１】
2005316886.tif 000013
【図１２】
2005316886.tif 000014
【図１３】
2005316886.tif 000015